(57)【特許請求の範囲】
【請求項１】
液不透過性のバックシートと、
高吸収性を有するポリマーを散在させた吸収体と、
液透過性のトップシートとを下からこの順に設け、周縁部を熱融着させるとともに、前記トップシート側である使用面にエンボス加工が形成された女性用失禁パッドにおいて、
前記エンボス加工が前記周縁部の内周にわたって不連続に形成され、
該形成されたエンボス加工が長辺部と短辺部からなる略矩形であり、
前記長辺部は、前記トップシートの長手方向における両側部全域にわたって設けられた立体ギャザーの長手方向の略全域に沿って形成され、該長辺部と前記短辺部とを区切る部分にエンボス加工の非形成部分が設けられ、
該エンボス加工の非形成部分の長さが２〜１０ｍｍであり、かつ対称に４箇所あることを特徴とする女性用失禁パッド。
【請求項２】
前記トップシートと前記吸収体との間に液透過性のセカンドシートを備えることを特徴とする請求項１に記載の女性用失禁パッド。
【発明の詳細な説明】
【技術分野】
【０００１】
この発明は、液不透過性のバックシートと、吸収体と、液透過性のトップシートとを下からこの順に設け、周縁部を熱融着させるとともに、トップシート側である使用面にエンボス加工が形成された女性用失禁パッドに関する。
【背景技術】
【０００２】
従来の女性用失禁パッドは、液不透過性バックシート、パルプ繊維及び高吸収性ポリマーを主材料とする吸収体、、液透過性トップシートとを具備する。そして、トップシート側である使用面にエンボス加工が全面に一定密度で形成されている（例えば特許文献１）。このエンボス加工は、尿が女性用失禁パッドから漏れ出さないように、トップシートの表面に凹凸を形成して、そこで一気に放出された尿をせき止めたり、女性用失禁パッドの前後方向に誘導して流し、全面で吸収することにより、女性用失禁パッドの吸収体を最大限有効に活用する意図がある。
【０００３】
【特許文献１】特許３１７５８６１号公報
【発明の開示】
【発明が解決しようとする課題】
【０００４】
しかしながら、女性用失禁パッドは、尿を吸収するためのものであり、吸収ポリマーをパルプに対し、多く散在させており、製造時に女性用失禁パッドにエンボス加工を形成するために圧力を加えたときに、エンボス部分が破れたり、尿を吸収して吸収ポリマーが膨潤したときにエンボス部分が破けるという問題があった。
そこで、この発明の目的は、エンボス部分が破れない女性用失禁パッドを提供することにある。
【課題を解決するための手段】
【０００５】
このため、請求項１に記載の発明は、液不透過性のバックシートと、
高吸収性を有するポリマーを散在させた吸収体と、
液透過性のトップシートとを下からこの順に設け、周縁部を熱融着させるとともに、前記トップシート側である使用面にエンボス加工が形成された女性用失禁パッドにおいて、
前記エンボス加工が前記周縁部の内周にわたって不連続に形成され、
該形成されたエンボス加工が長辺部と短辺部からなる略矩形であり、
前記長辺部は、前記トップシートの長手方向における両側部全域にわたって設けられた立体ギャザーの長手方向の略全域に沿って形成され、該長辺部と前記短辺部とを区切る部分にエンボス加工の非形成部分が設けられ、
該エンボス加工の非形成部分の長さが２〜１０ｍｍであり、かつ対称に４箇所あることを特徴とする。
【０００６】
したがって、請求項１の発明によれば、エンボス加工が女性用失禁パッドの周縁部の内周にわたって不連続に形成されているので、製造時に女性用失禁パッドにエンボス加工を形成するために圧力を加えたときにも、エンボス部分が破れることがない。加えて、尿を吸収して吸収ポリマーが膨潤したときにもエンボス部分が破けることがない。
【０００８】
また、請求項１の発明によれば、周縁部の内周にわたって形成されたエンボス加工が略矩形であり、そのエンボス加工の非形成部分が対称に４箇所あるので、尿を女性用失禁パッドの外部に漏らさないというエンボス加工の目的を保ちながら、製造時に女性用失禁パッドにエンボス加工を形成するために圧力を加えたときにも、エンボス部分が破れることがない。
【０００９】
加えて、尿を吸収して吸収ポリマーが膨潤したときにもエンボス部分が破けることがない。
【００１１】
また、請求項１の発明によれば、エンボス加工の非形成部分の長さが２〜１０ｍｍであるので、尿を女性用失禁パッドの外部に漏らさないというエンボス加工の目的を保ちながら、製造時に女性用失禁パッドにエンボス加工を形成するために圧力を加えたときにも、エンボス部分が破れることがない。加えて、尿を吸収して吸収ポリマーが膨潤したときにもエンボス部分が破けることがない。
【００１２】
請求項２の発明は、請求項１に記載の女性用失禁パッドにおいて、前記トップシートと前記吸収体との間に液透過性のセカンドシートを備えることを特徴とする。
【００１３】
したがって、請求項２の発明によれば、トップシートと吸収体との間に液透過性のセカンドシートを備えるので、吸収速度を早めることが可能となる。
【発明の効果】
【００１４】
請求項１に記載の発明によれば、エンボス加工が女性用失禁パッドの周縁部の内周にわたって不連続に形成されているので、製造時に女性用失禁パッドにエンボス加工を形成するために圧力を加えたときにも、エンボス部分が破れることがない。加えて、尿を吸収して吸収ポリマーが膨潤したときにもエンボス部分が破けることがなく、エンボス部分が破れない女性用失禁パッドを提供することができる。
【００１５】
また、請求項１に記載の発明によれば、周縁部の内周にわたって形成されたエンボス加工が略矩形であり、そのエンボス加工の非形成部分が対称に４箇所あるので、尿を女性用失禁パッドの外部に漏らさないというエンボス加工の目的を保ちながら、製造時に女性用失禁パッドにエンボス加工を形成するために圧力を加えたときにも、エンボス部分の破れを防止することができる。加えて、尿を吸収して吸収ポリマーが膨潤したときにもエンボス部分が破けることを防止し、着用者が快適に使用することができる。
【００１６】
また、請求項１に記載の発明によれば、エンボス加工の非形成部分の長さが２〜１０ｍｍであるので、尿を女性用失禁パッドの外部に漏らさないというエンボス加工の目的を保ちながら、製造時に女性用失禁パッドにエンボス加工を形成するために圧力を加えたときにも、エンボス部分の破れを防止することができる。加えて、尿を吸収して吸収ポリマーが膨潤したときにもエンボス部分が破れを防止し、不良品の発生を抑制することができる。
【００１７】
請求項２に記載の発明によれば、トップシートと吸収体との間に液透過性のセカンドシートを備えるので、吸収速度を早めることができる。加えて、液拡散性を有するセカンドシートとすると、吸収体全体に尿を拡散し、吸収体を均一に使用することができる。
【発明を実施するための最良の形態】
【００１８】
図１は、本発明の一実施例を示す女性用失禁パッドの平面図、図２は、そのＡ−Ａ断面図、図３は、図１に示す女性用失禁パッドのショーツへの装着状態を示す斜視図である。
【００１９】
図１に示す実施例の女性用失禁パッド１は、液不透過性のバックシート２と、パルプ繊維及び高吸収性を有するポリマーを散在させた吸収体３と、液透過性のトップシート４とを下からこの順に設ける。なお、吸収体３の周囲はティシュペーパー５で包む。また、吸収体３のトップシート１側には、液透過性、液拡散性のセカンドシート８を備える。そして、使用面側であるトップシート１上から吸収体３に向かってエンボス加工Ｅが形成されている。なお、このエンボス加工Ｅのエンボス部分の深さＤは、０．５〜５．０ｍｍで斜線状に設ける。このエンボス加工Ｅの形状は、この例のように斜線状に限定されるものではない。
【００２０】
また、トップシート１の両側部には、立体ギャザー６を設ける。立体ギャザー６は、撥水性不織布などからなるギャザーシート６ａを折り返して糸ゴムなどの弾性部材７を３本伸張下でホットメルト接着剤などにより接着して形成される。したがって、女性用失禁パッド１を広げた状態では、通常、この弾性部材７によって、女性用失禁パッド１全体が使用面側に引っ張られて孤を描いた状態となる。なお、周縁部Ｍにおいて、このギャザーシート６ａとバックシート２が熱融着されるとともにエンボスが形成されている。一方、トップシート４は吸収体３の下側に折り込まれてホットメルト接着剤などで接着される。さらに、バックシート２の裏面側には、女性用失禁パッド１をショーツなどに貼り付けて固定するための不図示の粘着テープなどが剥離紙をともなって設けられている。
【００２１】
ところで、この発明の女性用失禁パッド１では、周縁部Ｍの内周にわたって形成されたエンボス加工Ｅが略矩形であり、４つのエンボス加工Ｅａ〜Ｅｄは間隔（非形成部分）ｄだけ隔てて形成されている。そしてその４つのエンボス加工Ｅａ〜Ｅｄの間隔ｄが対称に４箇所形成されている。換言すると、それぞれのエンボス加工Ｅどうしの形成されていない間隔がｄだけある。なお、この間隔ｄの長さは２〜１０ｍｍとすることが好ましく、より好適には間隔ｄは４ｍｍである。もちろん、４つのエンボス加工Ｅａ〜Ｅｄの間隔を全て同一にすることに限定されるものではない。
【００２２】
なお、エンボス加工Ｅの形状の別の例として、図４（ａ），（ｂ）に示すようなものでもよい。
【００２３】
トップシート４は、液透過性の不織布、織布、多孔性プラスチックフィルム等であり、その構成繊維は、ポリプロピレン、ポリエチレン、ポリエステル、ナイロン等の単・長繊維、またはポリエステル、ポリプロピレン、ポリエチレン、ナイロン等の２成分以上からなる複合繊維等であり、特には、ポリエステル／ポリエステル、ポリエステル／ポリエチレン、ポリプロピレン／ポリエチレンの複合繊維が強度の面から好ましいが、特に制限をうけるものではない。
【００２４】
バックシート２は、例えば、ポリエチレン等の液不透過性フィルム、液体不透過性フィルムと不織布あるいは織布を貼り合わせた素材等である。より好ましくは、ムレを防止するために、液体を透過させない程度の多数の微孔を設けたポリエチレン製フィルムなどの外側に不織布、織布を貼り合わせた複合シートを用いると、透湿性や肌触り等を快適なものとすることができる。
【００２５】
吸収体３は、液状の排泄物を吸収して保持するためのものであり、綿状パルプ、高吸収性ポリマー（以後省略して、「ＳＡＰ」という。）、親水性シート等からなる。また、本発明において使用される吸収体１４は、従来のパンツ型紙おむつなどの吸収性物品において通常使用される公知の吸収性材料から作られている。
【００２６】
すなわち、綿状パルプ、レーヨン等の吸収性繊維とＳＡＰを混合した単層もしくは多層のマット、あるいは、吸収性繊維からなるマットの層間にＳＡＰを均一に配置したもの等を親水性シートであるティシュペーパー１５で包んで形成したものを使用することができる。また、必要に応じて綿状パルプに対して３〜６０重量％の熱融着性物質を混合して熱圧着してもよい。もしくは、ＳＡＰのみが親水性シートにより包まれているものでも良い。
【００２７】
綿状パルプとしては、化学パルプシートもしくは、機械パルプシートを粉砕機で解繊したものが用いられる。パルプ原料としては、針葉樹に限らず、広葉樹、わら、竹およびケナフも適用される。また、古紙パルプを使用しても良い。この綿状パルプの使用量は、目的とする吸収体により、例えば、単独で用いるか、複数積層して用いるか、他の吸収材を併用するかなどにより異なるが、一般的には、５０〜４００ｇ／ｍ2にされる。
【００２８】
ＳＡＰとしては、デンプン系、セルロース系、合成ポリマー系が挙げられる。すなわち、デンプン−アクリル酸（塩）グラフト共重合体、デンプン−アクリル酸エチルグラフト共重合体のケン化物、デンプン−メタクル酸メチルグラフト共重合体のケン化物、デンプン−アクリロニトリルグラフト共重合体のケン化物、デンプン−アクリルアミドグラフト共重合体のケン化物、アクリル酸（塩）重合体、アクリル酸で架橋されたポリエチレンオキシド、ナトリウムカルボキシメチルセルローズの架橋物、ポリビニールアルコール−無水マレイン酸反応物の架橋物などが使用可能である。
【００２９】
セカンドシート８は、トップシート１と同様の液透過性の不織布、織布、多孔性プラスチックフィルム等であり、その構成繊維は、ポリプロピレン、ポリエチレン、ポリエステル、ナイロン等の単・長繊維、またはポリエステル、ポリプロピレン、ポリエチレン、ナイロン等の２成分以上からなる複合繊維等であり、特には、ポリエステル／ポリエステル、ポリエステル／ポリエチレン、ポリプロピレン／ポリエチレンの複合繊維が強度の面から好ましいが、特に制限をうけるものではない。
【００３０】
本実施例の女性用失禁パッド１を使用するには、バックシート２の裏面側に設けられた粘着テープの剥離紙を剥がした後、図３に示すように、ショーツＳの股下部ＳＭの適当に位置に貼着する。すると、立体ギャザー６が起立する。そして、着用者は、通常のショーツを着用するときと同様に、ショーツＳの胴回り部ＳＷより左右の足を入れて、右足を右脚回り部ＬＲより出して、左足を左脚回り部ＬＬより出してショーツＳを股間部まで引き上げる。すると、着用者の左右の脚の付け根部分に立体ギャザー６が起立状態でフィットし、尿漏れを起こしにくくなる。
【００３１】
なお、この発明は上述の例に限定されるものではなく、エンボス加工Ｅのパターンを変えて、図４（ａ），（ｂ）に示すように、エンボス加工Ｅａ，Ｅｂ，Ｅｃを不連続とし、その部分を非形成部分としてもよい。
さらに、図５（ａ），（ｂ）に示すように、周縁部Ｍの内周にわたって形成されたエンボス加工Ｅａ，Ｅｄ中に非形成部分が間隔ｄで対称に４箇所あっても良いし、図５（ｃ）に示すように、周縁部Ｍの内周にわたって形成されたエンボス加工Ｅａ，Ｅｄと、エンボス加工Ｅｄのそれぞれに非形成部分が間隔ｄで対称に４箇所ずつあっても良い。なお、図４および図５は参考例とする。
なお、非形成部分は、全ての間隔ｄを同一にする必要はないし、必ずしも対称でなくてもよい。
【００３２】
また、上述の例ではトップシート４をバックシート２と吸収体３の裏側との間に巻き込んで固定したが、この発明はこれに限定されるものではなく、図６に示すように、ギャザーシート６ａにホットメルト接着剤などで固定してもよい。
【図面の簡単な説明】
【００３３】
【図１】この発明の女性用失禁パッドの一例を示す平面図である。
【図２】図１のＡ矢視断面図である。
【図３】この発明の女性用失禁パッドをショーツに装着した様子を示す斜視図である。
【図４】（ａ），（ｂ）は、図１の女性用失禁パッドの別の例を示す平面図である。
【図５】（ａ），（ｂ），（ｃ）は、図１の女性用失禁パッドのさらに別の例を示す平面図である。
【図６】この発明の女性用失禁パッドの別の例を示す断面図である。
【符号の説明】
【００３４】
１    女性用失禁パッド
２    バックシート
３    吸収体
４    トップシート
５    ティシュペーパー
６    立体ギャザー
６ａ    ギャザーシート
７    弾性部材
Ｅ，Ｅａ，Ｅｂ，Ｅｃ，Ｅｄ    エンボス加工
Ｍ    周縁部
Ｓ    ショーツ
ＳＭ    股下部
ＬＬ    左脚回り部
ＬＲ    右脚回り部
【図１】
0004746833.tif 000002
【図２】
0004746833.tif 000003
【図３】
0004746833.tif 000004
【図４】
0004746833.tif 000005
【図５】
0004746833.tif 000006
【図６】
0004746833.tif 000007